(57)【要約】【課題】  フィルムとプリントされた写真との照合を効率的に行う。【解決手段】  写真処理システム１０は、外部から入力された注文情報を受け付けると共に、注文情報が受け付けられたフィルム９１毎に識別情報を付与する受付装置１００と、受付装置１００によって付与された識別情報をフィルム９１に対して読取可能に記録するフィルムＩＤ記録装置２００と、フィルム９１を所定コマ数毎に切断してネガシート９２に収納すると共に、フィルム９１に記録された識別情報を読み取り、ネガシート９２に視認可能に印刷するフィルム処理装置４００と、写真９３をプリントして出力すると共に、印画紙の裏面（画像が形成される面と対向する面）に識別情報を印刷する写真出力装置５００とを備えている。【選択図】      図１
2005309080.tif 000002
【特許請求の範囲】
【請求項１】
画像が撮影されたフィルム毎に、プリント処理に対する指示情報であるプリント指示情報を含む注文情報を受け付けてプリント処理を行う写真処理システムであって、
注文情報が受け付けられたフィルム毎に所定のルールに則って識別情報を付与する識別情報付与手段と、
前記識別情報付与手段によって付与された識別情報をフィルムに対して読取可能に記録するフィルムＩＤ記録手段と、
前記フィルムＩＤ記録手段によってフィルムに記録された識別情報を読み取るＩＤ読取手段と、
前記ＩＤ読取手段によって識別情報が読み取られたフィルムからコマ毎の画像データを読み取るフィルムスキャナと、
前記ＩＤ読取手段によって読み取られた識別情報をフィルムを収納するフィルム収納容器に視認可能に記録する容器ＩＤ記録手段と、
前記フィルムを容器ＩＤ記録手段によって識別情報が記録されたフィルム収納容器に収納するフィルム収納手段と、
前記ＩＤ読取手段から識別情報を取得すると共に、取得された識別情報に対応するフィルムの画像データを前記フィルムスキャナから取得して、前記注文情報のプリント指示情報に応じて、写真をプリントして出力する写真出力手段とを備え、
前記写真出力手段は、前記ＩＤ読取手段から取得された識別情報を、取得された識別情報に対応するフィルムの画像データがプリントされた各写真に対して視認可能に記録することを特徴とする写真処理システム。
【請求項２】
前記フィルム収納容器は、シート状のフィルムを収納するフィルム収納部が複数並設されて帯状に形成されるネガシートであって、
前記容器ＩＤ記録手段は、識別情報を前記ネガシートの所定位置に視認可能に記録し、
前記フィルム収納手段は、前記フィルムを所定コマ数毎に切断し、前記ネガシートの各フィルム収納部に収納することを特徴とする請求項１に記載の写真処理システム。
【請求項３】
前記容器ＩＤ記録手段は、インクジェット方式を用いて前記ネガシートに識別情報を印刷することを特徴とする請求項１または２に記載の写真処理システム。
【請求項４】
前記フィルムＩＤ記録手段は、識別情報をバーコードに変換してフィルムに記録し、
前記ＩＤ読取手段は、バーコードリーダを用いてフィルムに記録されたバーコードを読み取ることを特徴とする請求項１〜３のいずれかに記載の写真処理システム。
【請求項５】
フィルムの識別情報を記録媒体の表面に視認可能に記録すると共に、前記識別情報に対応するフィルムの画像データを記録媒体に格納する記録媒体処理手段を備え、
前記注文情報は、前記画像データの記録媒体への格納要否の情報を含み、
前記記録媒体処理手段は、前記注文情報が前記画像データの記録媒体への格納が必要である旨の情報を含む場合に、前記識別情報付与手段から前記注文情報に対応する識別情報を取得すると共に、取得された識別情報に対応するフィルムの画像データを前記フィルムスキャナから取得することを特徴とする請求項１〜４のいずれかに記載の写真処理システム。
【請求項６】
前記記録媒体は、ディスク状の記録媒体であって、
前記記録媒体処理手段は、前記識別情報をディスク状の記録媒体のレーベル面に印刷することを特徴とする請求項５に記載の写真処理システム。
【発明の詳細な説明】
【技術分野】
【０００１】
本発明は、画像が撮影されたフィルム毎に、プリント処理に対する指示情報であるプリント指示情報を含む注文情報を受け付けてプリント処理を行う写真処理システムに関する。
【背景技術】
【０００２】
従来、写真館やＤＰ店などでフィルムから写真のプリント処理を行う場合には、注文者から指示されたプリント指示情報を含む注文情報をＤＰ袋と呼ばれる袋に記入して、このＤＰ袋とフィルムとを対応付けるために、ツインチェックと呼ばれる４桁の数字が印刷されたラベルをＤＰ袋とフィルムとに貼り付けていた。
【０００３】
そして、フィルムに対しては、現像、フィルムスキャナによる画像データの読み取り、ネガシートの生成等の処理が施され、フィルムスキャナにより読み取られた画像データが写真処理装置に入力されて印画紙にプリント処理が施されて写真が生成される。
【０００４】
プリント処理が完了すると、写真に形成された画像と、ネガシートとなったフィルムの画像とが作業者の目視によって照合され、プリントされた写真とフィルムとが照合される。そして、更に、フィルムに貼付されたツインチェックラベルと、ＤＰ袋に貼付されたツインチェックラベルとが作業者の目視によって照合され、フィルムとＤＰ袋とが照合される。照合されたフィルムと写真とがＤＰ袋に収納されて、注文者に手渡し可能な状態（仕上がり状態）となる。
【発明の開示】
【発明が解決しようとする課題】
【０００５】
上記の方法によれば、ＤＰ袋、フィルム及びプリントされた写真を作業者が目視によって照合する必要があるため、多数のプリント注文を間違いなく、短時間に処理することは困難であり、また、作業者の負担が大きかった。
【０００６】
一方、近年、ＣＤドライブを備えたパーソナルコンピュータの一般家庭への普及に伴い、フィルムスキャナによって読み取られた画像データをＣＤに格納して提供するサービスが行われるようになってきている。このサービスを行う場合には、従来のＤＰ袋、フィルム及びプリントされた写真に加えて、画像データが格納されたＣＤを照合する必要があり、更に作業者の負担が大きくなる。
【０００７】
本発明は、上記課題に鑑みてなされたもので、フィルムとプリントされた写真との照合を正確且つ効率的に行うことの可能な写真処理システムを提供することを目的とする。本発明は、更に、ＣＤ等の記録媒体との照合を正確且つ効率的に行うことを、他の目的とするものである。
【課題を解決するための手段】
【０００８】
請求項１に記載の写真処理システムは、画像が撮影されたフィルム毎に、プリント処理に対する指示情報であるプリント指示情報を含む注文情報を受け付けてプリント処理を行う写真処理システムであって、注文情報が受け付けられたフィルム毎に所定のルールに則って識別情報を付与する識別情報付与手段と、前記識別情報付与手段によって付与された識別情報をフィルムに対して読取可能に記録するフィルムＩＤ記録手段と、前記フィルムＩＤ記録手段によってフィルムに記録された識別情報を読み取るＩＤ読取手段と、前記ＩＤ読取手段によって識別情報が読み取られたフィルムからコマ毎の画像データを読み取るフィルムスキャナと、前記ＩＤ読取手段によって読み取られた識別情報をフィルムを収納するフィルム収納容器に視認可能に記録する容器ＩＤ記録手段と、前記フィルムを容器ＩＤ記録手段によって識別情報が記録されたフィルム収納容器に収納するフィルム収納手段と、前記ＩＤ読取手段から識別情報を取得すると共に、取得された識別情報に対応するフィルムの画像データを前記フィルムスキャナから取得して、前記注文情報のプリント指示情報に応じて、写真をプリントして出力する写真出力手段とを備え、前記写真出力手段は、前記ＩＤ読取手段から取得された識別情報を、取得された識別情報に対応するフィルムの画像データがプリントされた各写真に対して視認可能に記録することを特徴としている。
【０００９】
上記の構成によれば、識別情報付与手段によって、注文情報が受け付けられたフィルム毎に所定のルールに則って識別情報が付与され、フィルムＩＤ記録手段によって、識別情報付与手段により付与された識別情報がフィルムに対して読取可能に記録される。そして、ＩＤ読取手段によって、フィルムＩＤ記録手段によりフィルムに記録された識別情報が読み取られ、フィルムスキャナによって、ＩＤ読取手段により識別情報が読み取られたフィルムからコマ毎の画像データが読み取られ、容器ＩＤ記録手段によって、ＩＤ読取手段により読み取られた識別情報がフィルムを収納するフィルム収納容器に視認可能に（文字、符号、記号等の表示形態で）記録される。また、フィルム収納手段によって、フィルムが容器ＩＤ記録手段により識別情報が記録されたフィルム収納容器に収納される。加えて、写真出力手段によって、ＩＤ読取手段から識別情報が取得されると共に、取得された識別情報に対応するフィルムの画像データがフィルムスキャナから取得されて、注文情報のプリント指示情報に応じて、写真がプリントして出力される。ここで、写真出力手段によって、ＩＤ読取手段から取得された識別情報が、取得された識別情報に対応するフィルムの画像データがプリントされた各写真に対して視認可能に記録される。
【００１０】
従って、識別情報がフィルム収納容器及びプリントされた各写真に視認可能に記録されるため、記録された識別情報を用いて、フィルム収納容器に収納されたフィルムとプリントされた写真とを正確且つ効率的に照合することが可能となる。
【００１１】
また、識別情報がフィルム収納容器に記録されるため、識別情報をフィルムに記録する場合と比較して、識別情報を記録するスペースの制約が緩和されるため、読み易い状態に識別情報を記録することが可能となる。
【００１２】
請求項２に記載の写真処理システムは、前記フィルム収納容器が、シート状のフィルムを収納するフィルム収納部が複数並設されて帯状に形成されるネガシートであって、前記容器ＩＤ記録手段が、識別情報を前記ネガシートの所定位置に視認可能に記録し、前記フィルム収納手段が、前記フィルムを所定コマ数毎に切断し、前記ネガシートの各フィルム収納部に収納することを特徴としている。
【００１３】
上記の構成によれば、フィルム収納容器が、シート状のフィルムを収納するフィルム収納部が複数並設されて帯状に形成されるネガシートであって、容器ＩＤ記録手段によって、識別情報がネガシートの所定位置に視認可能に記録され、フィルム収納手段によって、フィルムが所定コマ数毎に切断されて、ネガシートの各フィルム収納部に収納される。
【００１４】
従って、フィルムが所定コマ数毎に切断されて、ネガシートの各フィルム収納部に収納されるため、フィルムがコンパクトにネガシートに収納されると共に、フィルムの画像が容易に視認される。また、識別情報がネガシートの所定位置に視認可能に記録されるため、識別情報が更に視認し易くなるため、ネガシートに収納されたフィルムとプリントされた写真とを更に正確且つ効率的に照合することが可能となる。
【００１５】
請求項３に記載の写真処理システムは、前記容器ＩＤ記録手段が、インクジェット方式を用いて前記ネガシートに識別情報を印刷することを特徴としている。
【００１６】
上記の構成によれば、容器ＩＤ記録手段によって、インクジェット方式を用いてネガシートに識別情報が印刷される。従って、容器ＩＤ記録手段によって、インクジェット方式を用いてネガシートに識別情報が印刷されるため、容器ＩＤ記録手段が簡素な構成で且つコンパクトに実現される。
【００１７】
請求項４に記載の写真処理システムは、前記フィルムＩＤ記録手段が、識別情報をバーコードに変換してフィルムに記録し、前記ＩＤ読取手段が、バーコードリーダを用いてフィルムに記録されたバーコードを読み取ることを特徴としている。
【００１８】
上記の構成によれば、フィルムＩＤ記録手段によって、識別情報がバーコードに変換されてフィルムに記録され、ＩＤ読取手段によって、バーコードリーダを用いてフィルムに記録されたバーコードが読み取られる。
【００１９】
従って、フィルムＩＤ記録手段及びＩＤ読取手段が、それぞれ汎用的なバーコードライタ及びバーコードリーダを用いて実現されるため、簡素な構成で且つ安価に実現される。
【００２０】
請求項５に記載の写真処理システムは、フィルムの識別情報を記録媒体の表面に視認可能に記録すると共に、前記識別情報に対応するフィルムの画像データを記録媒体に格納する記録媒体処理手段を備え、前記注文情報が、前記画像データの記録媒体への格納要否の情報を含み、前記記録媒体処理手段が、前記注文情報が前記画像データの記録媒体への格納が必要である旨の情報を含む場合に、前記識別情報付与手段から前記注文情報に対応する識別情報を取得すると共に、取得された識別情報に対応するフィルムの画像データを前記フィルムスキャナから取得することを特徴としている。
【００２１】
上記の構成によれば、記録媒体処理手段によって、フィルムの識別情報が記録媒体の表面に視認可能に記録されると共に、識別情報に対応するフィルムの画像データが記録媒体に格納される。そして、注文情報が、画像データの記録媒体への格納要否の情報を含み、記録媒体処理手段によって、注文情報が画像データの記録媒体への格納が必要である旨の情報を含む場合に、識別情報付与手段から注文情報に対応する識別情報が取得されると共に、取得された識別情報に対応するフィルムの画像データがフィルムスキャナから取得される。
【００２２】
従って、注文情報が画像データの記録媒体への格納が必要である旨の情報を含む場合に、フィルムの識別情報が記録媒体の表面に視認可能に記録されると共に、識別情報に対応するフィルムの画像データが記録媒体に格納されるため、記録媒体を写真及びフィルム（ネガシート）と正確且つ効率的に照合することが可能となる。
【００２３】
請求項６に記載の写真処理システムは、前記記録媒体が、ディスク状の記録媒体であって、前記記録媒体処理手段が、前記識別情報をディスク状の記録媒体のレーベル面に印刷することを特徴としている。
【００２４】
上記の構成によれば、記録媒体がディスク状の記録媒体であって、記録媒体処理手段によって、識別情報がディスク状の記録媒体のレーベル面に印刷される。従って、識別情報がディスク状の記録媒体のレーベル面に印刷されるため、作業者が記録媒体に印刷された識別情報を容易に確認することが可能となる。
【発明の効果】
【００２５】
請求項１に記載の発明によれば、識別情報がフィルム収納容器及びプリントされた各写真に視認可能に記録されるため、記録された識別情報を用いて、フィルム収納容器に収納されたフィルムとプリントされた写真とを正確且つ効率的に照合することができる。また、識別情報がフィルム収納容器に記録されるため、識別情報をフィルムに記録する場合と比較して、識別情報を記録するスペースの制約が緩和されるため、読み易い状態に識別情報を記録することができる。
【００２６】
請求項２に記載の発明によれば、フィルムが所定コマ数毎に切断されて、ネガシートの各フィルム収納部に収納されるため、フィルムがコンパクトにネガシートに収納されると共に、フィルムの画像を容易に視認できる。また、識別情報がネガシートの所定位置に視認可能に記録されるため、識別情報が更に視認し易くなるため、ネガシートに収納されたフィルムとプリントされた写真とを更に正確且つ効率的に照合することができる。
【００２７】
請求項３に記載の発明によれば、容器ＩＤ記録手段によって、インクジェット方式を用いてネガシートに識別情報が印刷されるため、容器ＩＤ記録手段を簡素な構成で且つコンパクトに実現できる。
【００２８】
請求項４に記載の発明によれば、フィルムＩＤ記録手段及びＩＤ読取手段が、それぞれ汎用的なバーコードライタ及びバーコードリーダを用いて実現されるため、簡素な構成で且つ安価に実現できる。
【００２９】
請求項５に記載の発明によれば、注文情報が画像データの記録媒体への格納が必要である旨の情報を含む場合に、フィルムの識別情報が記録媒体の表面に視認可能に記録されると共に、識別情報に対応するフィルムの画像データが記録媒体に格納されるため、記録媒体を写真及びフィルム（ネガシート）と正確且つ効率的に照合することができる。
【００３０】
請求項６に記載の発明によれば、識別情報がディスク状の記録媒体のレーベル面に印刷されるため、作業者が記録媒体に印刷された識別情報を容易に確認することができる。
【発明を実施するための最良の形態】
【００３１】
以下、図１〜図１３を用いて本発明の一実施形態について説明する。図１は、本発明が適用される写真処理システムの概略構成図の一例である。写真処理システム１０は、外部から入力された注文情報を受け付けると共に、注文情報が受け付けられたフィルム９１毎に識別情報を付与する受付装置１００（受付手段及び識別情報付与手段に相当する）と、受付装置１００によって付与された識別情報をフィルム９１に対して読取可能に記録するフィルムＩＤ記録装置２００（フィルムＩＤ記録手段に相当する）と、フィルム９１に現像処理を施すフィルム現像機３００と、現像処理によってフィルム９１に可視化された画像を光学的に読み取りコマ毎にディジタルデータ（画像データ）を生成すると共に、フィルムを所定コマ数毎に切断してネガシート９２に収納するフィルム処理装置４００（ＩＤ読取手段、フィルムスキャナ、容器ＩＤ記録手段及びフィルム収納手段に相当する）と、写真９３をプリントして出力する写真出力装置５００（写真出力手段に相当する）と、ＣＤ−Ｒ（ＣＤ  ｒｅｃｏｒｄａｂｌｅ）又はＣＤ−ＲＷ（ＣＤ  ｒｅｗｒｉｔａｂｌｅ）（ここでは、これらを総称してＣＤ９４という）に画像データを書き込むＣＤ処理装置６００（記録媒体処理手段に相当する）と、受付装置１００によって受け付けられた注文情報を視認可能に表示する注文情報表示装置７００（注文情報表示手段に相当する）とを備えている。
【００３２】
受付装置１００は、外部から入力された注文情報を受け付けると共に、注文情報が受け付けられたフィルム９１毎に所定のルールに則って識別情報を生成して付与するものである。また、受付装置１００は、注文情報を識別情報に対応付けて格納すると共に、フィルムＩＤ記録装置２００、写真出力装置５００等に対して種々の情報を送信するものである。更に、受付装置１００は、注文者に預り証９５として付与するべく所定の用紙に識別情報を印刷するものである。なお、受付装置１００の構成及び機能の詳細については、図２〜図４を用いて後述する。
【００３３】
フィルムＩＤ記録装置２００は、受付装置１００によって付与された識別情報をフィルムに対して読取可能に記録するものであって、ここでは、フィルム現像機３００によって現像される前のフィルム９１に対して、識別情報をバーコード化して、バーコードライタ（図示省略）を用いてフィルム９１表面の所定位置にバーコードを印刷するものである。ここでは、パトローネに入った状態のフィルムの先端を引き出して、まず最初に現われるコマの直前の位置にバーコードを印刷するものである。このように、フィルムＩＤ記録装置２００が、汎用的なバーコードライタを用いて実現されるため、簡素な構成で且つ安価に実現される。
【００３４】
フィルム現像機３００は、フィルム９１を処理液の充填された処理タンク内を通過させてフィルム９１に現像処理を施すものであって、コマ毎の画像を可視化するものである。
【００３５】
フィルム処理装置４００は、フィルム現像機３００によって現像されたフィルム９１に光を当てて、透過光をＣＣＤ（ｃｈａｒｇｅ  ｃｏｕｐｌｅｄ  ｄｅｖｉｃｅ）などの撮像素子で受光することによってフィルム９１のコマ毎の画像データを得るフィルムスキャナを有するものである。なお、フィルム処理装置４００によって得られた画像データは、フィルム９１毎に識別情報と対応付けられて写真出力装置５００及びＣＤ処理装置６００に伝送される。
【００３６】
また、フィルム処理装置４００は、画像データを読み取られたフィルム９１を所定のコマ数（ここでは、４コマ）に切断した後、袋状のフィルム収納部を多数並設してなる帯状のフィルムシートに収納して、ネガシート９２を生成するものである。更に、フィルム処理装置４００は、フィルムＩＤ記録装置２００によって記録された識別情報を読み取り、ネガシート９２に視認可能に印刷するものである。なお、フィルム処理装置４００の構成及び機能の詳細については図５〜７を用いて後述する。
【００３７】
写真出力装置５００は、受付装置１００から識別情報及び注文情報を受信し、フィルムス処理装置４００から識別情報及び画像データを受信して、注文情報に応じて画像データを用いて写真９３を印画紙にプリントして出力するものである。また、写真出力装置５００は、印画紙の裏面（画像が形成される面と対向する面）に、識別情報を印刷するものである。なお、写真出力装置５００の構成の詳細については、図８を用いて後述する。
【００３８】
ＣＤ処理装置６００は、フィルム処理装置４００によって得られた画像データをＣＤ９４に書き込むと共に、ＣＤ９４のレーベル面（記録面と対向する面）に識別情報を印刷するものである。なお、ＣＤ処理装置６００の構成及び動作の詳細については、図９、１０を用いて後述する。
【００３９】
注文情報表示装置７００は、外部から入力された識別情報を受け付けて、受け付けた識別情報に対応する注文情報を視認可能に表示すると共に、注文情報を用いて課金金額を算出して、求められた課金金額情報を視認可能に表示するものである。なお、注文情報表示装置７００の構成及び動作の詳細については、図１１〜１３を用いて後述する。
【００４０】
図２は、受付装置１００のハード構成図の一例である。受付装置１００は、例えば、パーソナルコンピュータ等からなり、受付装置１００の全体の動作を制御する制御部１１と、外部からの操作を受け付ける図略のキーボード、マウス等からなる操作部１２と、外部に音声を出力するスピーカ１３と、外部に画像を出力するモニタ１４と、フィルムＩＤ記録装置２００、写真出力装置５００、ＣＤ処理装置６００及び注文情報表示装置７００と通信を行う通信制御部１５と、種々の情報を記録用紙に印刷する（特に、注文者に付与する預り証９５として識別情報を所定の用紙に印刷する）プリンタ１６とがデータ伝送路であるバスＢＡ１を介して接続されている。
【００４１】
制御部１１は、受付装置１００の全体の動作を制御するもので、情報処理部（ＣＰＵ）１１１と、処理途中の情報等を一時的に格納するＲＡＭ１１２と、ＯＳ（ｏｐｅｒａｔｉｎｇ  ｓｙｓｔｅｍ）、所定の画像情報等が予め記憶されたＲＯＭ１１３とを備えている。ＲＡＭ１１２またはＲＯＭ１１３に記憶された各種データのうち装着脱可能な記録媒体に記憶され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ、ＤＶＤ、半導体メモリ等である。
【００４２】
インターフェイス部１２１は、操作部１２との間のデータの授受を行うためのものである。音声再生部１３１は、制御部１１からの指示に従って所定の音声（例えば、アラーム、操作ガイダンス用の音声等）等をスピーカ１３に出力するものである。描画処理部１４１は、制御部１１からの画像表示指示に従って所要の画像をモニタ１４に表示させるもので、ビデオＲＡＭ等を備えている。
【００４３】
図３は、受付装置１００の機能構成図の一例である。ＣＰＵ１１１は、注文情報を受け付ける注文情報受付部１１１ａ（受付手段の一部に相当する）と、注文情報が受け付けられたフィルム毎に識別情報を付与する識別情報付与部１１１ｂ（識別情報付与手段に相当する）と、注文情報等を写真出力装置５００等に送信するデータ送信部１１１ｃと、注文者に付与する預り証９５として識別情報を印刷する指示を出力する印刷指示部１１１ｄ（受付手段の一部に相当する）とを備えている。ＲＡＭ１１２は、注文情報等を格納する受付情報記憶部１１２ａ（受付情報記憶手段に相当する）を備えている。
【００４４】
注文情報受付部１１１ａは、操作部１２を介して外部からの入力を受け付けて、例えば、注文者の氏名、住所、電話番号、電子メールアドレス等の情報（以下、注文者情報という）と、フィルム９１の写真９３へのプリントサイズ、及びプリント枚数（以下、プリント情報という）と、ＣＤ９４への画像データの格納の要否（以下、ＣＤ要否情報という）とを含む注文情報を受け付けるものである。ただし、注文者情報は、上記の例に限らず、注文者が識別（特定）できるものであれば足りるため、例えば、氏名のみである形態でもよい。
【００４５】
識別情報付与部１１１ｂは、注文情報受付部１１１ａによって注文情報が受け付けられたフィルム９１毎に、所定のルールに則って識別情報を生成して付与すると共に、注文情報を識別情報に対応付けて受付情報記憶部１１２ａに格納するものである。ここでは、識別情報は４桁の整数であって、識別情報付与部１１１ｂは、カウンタを内蔵しており、注文情報が受け付けられる度にカウントアップすることで、フィルム９１毎に４桁の一連番号である識別情報を付与するものである。例えば、識別情報として、「１２３４」が付与されたフィルム９１の直後に受け付けられたフィルム９１には、識別情報として「１２３５」が付与される。
【００４６】
データ送信部１１１ｃは、通信制御部１５を介して、フィルムＩＤ記録装置２００に対して、識別情報付与部１１１ｂによってフィルム９１に付与された識別情報を送信するものである。また、データ送信部１１１ｃは、通信制御部１５を介して、写真出力装置５００、ＣＤ処理装置６００及び注文情報表示装置７００に対して、注文情報受付部１１１ａによって受け付けられた注文情報を識別情報付与部１１１ｂによってフィルム９１に付与された識別情報と対応付けて送信するものである。
【００４７】
印刷指示部１１１ｄは、注文者に付与する預り証９５として、識別情報付与部１１１ｂによってフィルム９１に付与された識別情報を印刷する旨の指示情報をプリンタ１６に対して出力するものである。なお、預り証９５は、プリント注文時に注文者に付与され、プリント処理等が完了して注文者が写真９３等を受け取る際に、注文情報の確認のために使用されるものである。
【００４８】
受付情報記憶部１１２ａは、注文情報受付部１１１ａによって受け付けられた注文情報を、識別情報付与部１１１ｂによって付与された識別情報に対応付けて格納するものである。
【００４９】
なお、受付装置１００を注文情報受付部１１１ａ、識別情報付与部１１１ｂ、データ送信部１１１ｃ及び印刷指示部１１１ｄとして機能させるプログラムは、例えばＲＯＭ２１３に格納されており、ＣＰＵ２１１によって実行されることにより、受付装置１００が注文情報受付部１１１ａ等の各機能部として機能するものである。
【００５０】
図４は、受付装置１００の動作を表すフローチャートの一例である。まず、注文情報受付部１１１ａによって、注文者情報が受け付けられる（ステップＳ１０１）。次いで、注文情報受付部１１１ａによって、フィルム９１の写真９３へのプリントサイズ、及びプリント枚数（プリント情報）が受け付けられる（ステップＳ１０３）。そして、注文情報受付部１１１ａによって、ＣＤ９４への画像データの格納の要否が受け付けられる（ステップＳ１０５）。
【００５１】
つぎに、識別情報付与部１１１ｂによって、ステップＳ１０１〜１０５において注文情報が受け付けられたフィルム９１に対して、識別情報が付与される（ステップＳ１０７）。そして、識別情報付与部１１１ｂによって、ステップＳ１０１〜１０５において受け付けられた注文情報がステップＳ１０７において付与された識別情報に対応付けられて受付情報記憶部１１２ａに格納される（ステップＳ１０９）。次いで、データ送信部１１１ｃによって、ステップＳ１０７において付与された識別情報（ＣＤ要否情報）及び、ステップＳ１０１〜１０５において受け付けられた注文情報がフィルムＩＤ記録装置２００、写真出力装置５００、ＣＤ処理装置６００及び注文情報表示装置７００に対して送信される（ステップＳ１１１）。そして、印刷指示部１１１ｄによって、ステップＳ１０７において付与された識別情報を印刷する旨の指示情報がプリンタ１６に対して出力され（ステップＳ１１３）、処理が終了される。
【００５２】
図５は、フィルム処理装置４００のハード構成図の一例である。フィルム処理装置４００は、現像されて巻回されたフィルム９１を巻き解くフィルムリール４１と、フィルムリール４１の下流側にフィルム９１の各コマの画像データを読み取るフィルムスキャナ４２と、フィルム９１の所定のコマ数（例えば、４コマ）毎に切断してネガシート９２に収納するフィルム収納部４４（容器ＩＤ記録手段及びフィルム収納手段に相当する）と、フィルムスキャナ４２とフィルム収納部４４との処理速度の違いを吸収するループ形成部４３とを備えている。また、フィルムリール４１とフィルムスキャナ４２との間には、フィルムＩＤ記録装置２００によってフィルム９１に記録されたバーコードを読み取るバーコードリーダＢＣＲ（ＩＤ読取手段に相当する）が配設されている。
【００５３】
なお、フィルム処理装置４００は、図略のパーソナルコンピュータ等からなる制御部４５を備え、この制御部４５は、フィルム処理装置４００全体の動作を制御すると共に、バーコードリーダＢＣＲで読み取られた識別情報と、フィルムスキャナ４２で読み取られた画像データとを対応付けて格納する機能を有するものである。
【００５４】
フィルムスキャナ４２は、フィルム９１に光ビームを照射する投光部４２ａと、フィルム９１を所定の速度で搬送する搬送部４２ｂと、フィルム９１を透過した光ビームを受光して画像データを形成する受光部４２ｃとを備えている。投光部４２ａは、フィルム９１を照射する光ビームを発生するランプと、ランプからの光ビームの色分布を必要に応じて整える調光フィルタと、光ビームの強度分布を整えるミラートンネルとを備えている。受光部４２ｃは、ズームレンズを含むレンズユニットと、フィルム９１を透過して得られた透過光ビームを処理するための光電変換部とを備えている。光電変換部としては、主走査方向に延びたラインＣＣＤを用いている。受光部４２ｃは、投光部４２ａと受光部４２ｃとの間に配置されており、フィルム９１に対する光の照射範囲を決定するとともにフィルム９１をラインＣＣＤによるスキャニングのために主走査方向と直交する副走査方向に所定速度で搬送するものである。
【００５５】
ループ形成部４３は、フィルムスキャナ４２とフィルム収納部４４との処理速度の違いを吸収するものであって、後述するようにフィルム収納部４４がフィルム９１を切断する際等においてフィルム９１の搬送を停止する場合に、フィルムスキャナ４２から搬送されたフィルム９１を一時的に格納するバッファの機能を有するものである。
【００５６】
また、フィルム処理装置４００には、フィルム９１の先端、尾端及びコマを光学的に検出する端部検出センサＳ１、Ｓ２、Ｓ３が配設されている。フィルム処理装置４００は、端部検出センサＳ１、Ｓ２、Ｓ３からの信号を用いて、フィルム９１の搬送の制御を行うものである。
【００５７】
図６は、フィルム収納部４４の詳細構成図の一例である。（ａ）は平面図であり、（ｂ）は側面図である。フィルム収納部４４は、端部検出センサＳ３の下流に切断されたフィルムの先端に識別番号を印字する所要ライン分のインクジェットヘッド４４ａと、インクジェットヘッド４４ａの下流にフィルム９１を切断するカッタ４４ｂと、カッタ４４ｂの下流にネガシートを搬送するためのテーブルである搬送テーブル４４ｃと、搬送テーブル４４ｃの上方のネガシート９２の搬送方向Ｖ１下流側にネガシート９２の所定位置に識別番号を印字する所要ライン分のインクジェットヘッド４４ｄとを備えている。
【００５８】
カッタ４４ｂは、端部検出センサＳ３の検出信号を用いて、ネガシート９２の収納条件に合致するようにフィルム９１を所定コマ数（ここでは、４コマ）毎に切断するものである。なお、ネガシート９２は、カッタ４４ｂによって切断されて生成される所定コマ数（ここでは、４コマ）のシート状のフィルムを収納するフィルム収納部が複数並設されて帯状に形成されているものである。
【００５９】
インクジェットヘッド４４ａは、カッタ４４ｂによってフィルム９１が切断される度に、フィルム９１の先端部のコマとコマとの間（または、最初のコマの直前）の画像が表示されていない領域（以下、非画像領域という）の適所に識別番号を印字するものである。ここでは、識別番号として、枝番号を付与した識別番号を印字するものである。例えば、識別番号が「１２３４」である場合に、Ｎ番目のフィルム９１の切断片の先端部には、「１２３４−Ｎ」と印字するものである。この場合、フィルム９１が２４枚撮りフィルムである場合には、カッタ４４ｂによって６（＝２４÷４）枚の切断片に切断されるため、１〜６の枝番号が付与される。
【００６０】
インクジェットヘッド４４ｄは、ネガシート９２の１番目のフィルム９１の切断片９１１が収納されているフィルム収納部９２１におけるネガシート９２の搬送方向Ｖ１側の略中央位置９２ａにフィルム９１の識別番号を印字するものである。
【００６１】
図７は、フィルム処理装置４００（主にフィルム収納部４４）の動作を説明するフローチャートの一例である。なお、以下の動作は、全て制御部４５によって行なわれる。まず、端部検出センサＳ１によってフィルム９１の先端が検出されたか否かの判定が行われる（ステップＳ２０１）。検出されていないと判定された場合（ステップＳ２０１でＮＯ）には、処理が待機状態とされる。検出されたと判定された場合（ステップＳ２０１でＹＥＳ）には、フィルム９１の先端位置がバーコードリーダＢＣＲの直下まで搬送され、バーコードリーダＢＣＲによってフィルム９１の識別番号が読み込まれる（ステップＳ２０３）。
【００６２】
そして、フィルムスキャナ４２によって、フィルム９１のコマ毎の画像データが読み込まれる（ステップＳ２０５）。ついで、ネガシート９２のフィルム収納部９２１がフィルム９１の搬送方向にセットされ、インクジェットヘッド４４ｄによってネガシート９２の所定位置に識別番号が印字される（ステップＳ２０７）。つぎに、フィルム９１の先端がインクジェットヘッド４４ａの直下まで搬送され、インクジェットヘッド４４ａによってフィルムの先端に枝番号が付与された識別番号が印字される（ステップＳ２０９）。
【００６３】
そして、フィルム９１が更に前方に搬送されてネガシート９２のフィルム収納部９２１に挿入される（ステップＳ２１１）。つぎに、端部検出センサＳ３によってフィルム９１の尾端が検出されたか否かの判定が行われる（ステップＳ２１３）。尾端が検出されたと判定された場合（ステップＳ２１３でＹＥＳ）には、フィルム９１の最後のコマまでネガシート９２のフィルム収納部９２１に搬送してネガシート９２への挿入を完了し、ステップＳ２０３で読み込まれた識別番号とステップＳ２０５で読み込まれた画像データとを対応付けて格納され（ステップＳ２１５）、処理が終了される。
【００６４】
ステップＳ２１３において、尾端が検出されていないと判定された場合（ステップＳ２１３でＮＯ）には、フィルム９１の所定コマ数（ここでは、４コマ）がネガシート９２のフィルム収納部９２１に挿入されたか否かの判定が行われる（ステップＳ２１７）。４コマがネガシート９２のフィルム収納部９２１に挿入されたと判定された場合（ステップＳ２１７でＹＥＳ）には、フィルム９１がカッタ４４ｂによって所定位置（ここでは、４コマ目の後端位置）で切断され（ステップＳ２１９）、ネガシート９２が次のフィルム収納部９２１に収納可能な位置にセットされ（ステップＳ２２１）、処理がステップＳ２０９に戻される。フィルム９１の４コマ分がネガシート９２のフィルム収納部９２１に挿入されていないと判定された場合（ステップＳ２１７でＮＯ）には、処理がステップＳ２１１戻され、フィルム９１が更に搬送される。
【００６５】
このようにして、識別情報がネガシート９２に印刷されるため、識別情報をフィルム９１に記録する場合と比較して、識別情報を記録するスペースの制約が緩和されるため、読み易い状態に識別情報を記録することが可能となる。
【００６６】
更に、フィルム９１が所定コマ数（ここでは、４コマ）毎に切断されて、ネガシート９２の各フィルム収納部９２１に収納されるため、フィルム９１がコンパクトにネガシート９２に収納されると共に、フィルム９１の画像が容易に視認される。また、識別情報がネガシート９２の所定位置に視認可能に記録されるため、識別情報が更に視認し易くなるため、ネガシート９２に収納されたフィルム９１とプリントされた写真９３とを更に正確且つ効率的に照合することが可能となる。加えて、インクジェット方式を用いてネガシート９２に識別情報が印刷されるため、フィルム処理装置４００が簡素な構成で且つコンパクトに実現される。また、フィルム処理装置４００が、汎用的なバーコードリーダＢＣＲを用いて実現されるため、簡素な構成で且つ安価に実現される。
【００６７】
図８は、写真出力装置５００のハード構成図の一例である。写真出力装置５００は、ハウジング５０に設けられた写真出力装置５００全体の動作を制御する制御ユニット５８を備えており、制御ユニット５８はパーソナルコンピュータ等からなる制御部５０Ｃと通信可能に接続されている。また、制御部５０Ｃは、受付装置１００及びフィルム処理装置４００と通信可能に接続されている。
【００６８】
制御部５０Ｃは、受付装置１００から注文情報及び識別情報を受信して、フィルム処理装置４００から識別情報及び画像データを受信するものである。そして、制御部５０Ｃは、識別情報をキーとして注文情報と画像データとを対応付けて、画像データを対応する注文情報に従ってプリントすると共に、画像データをプリントして得られた感光材片５１Ａの裏面に識別情報を印刷するべく制御ユニット５８にプリント指示情報を出力するものである。
【００６９】
写真出力装置５００のハウジング５０の内部５０Ｂには、レーザ光を用いて感光材５１の露光処理を行うレーザ露光装置５４が、感光材５１を搬送するコンベア５５上の露光位置５５Ｘに対向するように設けられている。コンベア５５は、複数組の従動ローラ５５Ａ及び駆動ローラ５５Ｂとガイドレール５５Ｃなどで構成されている。ハウジング５０の上面５０Ａには、ロール状に巻回された感光材５１をそれぞれ収納する複数、例えば２つのマガジン５２Ａ及び５２Ｂが装着されている。マガジン５２Ａ及び５２Ｂに収納されている感光材５１の種類を検出するために、２組のセンサ５２Ａ１及び５２Ｂ１が、それぞれマガジン５２Ａ及び５２Ｂに設けられている。
【００７０】
ハウジング５０、マガジン５２Ａ及び５２Ｂはそれぞれ暗箱であり、感光材５１の先端５１Ａ及び５１Ｂはそれぞれマガジン５２Ａ及び５２Ｂからハウジング５０の内部５０Ｂに引き出されている。感光材５１は、ハウジング５０の内部５０Ｂに設けられたカッタ５３により所定の大きさに切断される。以下、所定の大きさに切断された感光材５１を感光材片５１Ａという。感光材片５１Ａは、ハウジング５０の内部５０Ｂにおいて、コンベア５５により露光位置５５Ｘから感光材片５１Ａの現像処理を行う現像ユニット５６に搬送される。
【００７１】
現像ユニット５６は、それぞれ現像液、定着液、漂白液及び安定化液を収容する複数のタンク５６Ａ〜５６Ｄを有している。レーザ露光装置５４により露光された感光材片５１Ａが現像ユニット５６中を搬送されると、潜像が現像され、感光材片５１Ａの感光面上に画像が形成される。そして、現像された感光材片５１Ａは、乾燥ユニット５９Ａにより乾燥される。例えば、所要ライン分のヘッドを有するインクジェット方式の印字ユニット５９は、乾燥ユニット５９Ａの下流側で、搬送される感光材片５１Ａの裏面となる側に配設され、搬送されてくる感光材片５１Ａの裏面に識別情報（ここでは、４桁の識別番号）の印刷を行うものである。印刷後の感光材片５１Ａは、ハウジング５０の内部５０Ｂから排出される。現像された感光材片５１Ａは、ハウジング５０の上面５０Ａに設けられたソータ５７上に積み重ねられる。
【００７２】
また、印字ユニット５９の近傍（例えば、上流側）には、感光材片５１Ａの通過を検出するセンサ５９１（図示省略）を有し、このセンサ出力を受けて、印字ユニット５９が作動するようになっている。なお、印字ユニット５９の配設位置は、乾燥ユニット５９Ａの下流側に限らず、例えば、現像処理の影響を受けない場合には、現像ユニット５６の上流側の適所であってもよい。
【００７３】
ここで、写真出力装置５００の動作の概要について説明する。まず、制御部５０Ｃによって、受付装置１００から注文情報及び識別情報が受信され、フィルム処理装置４００から識別情報及び画像データが受信される。そして、制御部５０Ｃによって、識別情報をキーとして注文情報と画像データとが対応付けられて、画像データを対応する注文情報に従ってプリントすると共に、画像データをプリントして得られた感光材片５１Ａの裏面に識別情報を印刷するべく制御ユニット５８にプリント指示情報が出力される。制御ユニット５８によって、このプリント指示情報に従って写真出力装置５００全体の動作が制御されて、画像データがプリントされ、プリントされて得られた感光材片５１Ａの裏面に印字ユニット５９を介して識別情報が印刷される。
【００７４】
図９は、ＣＤ処理装置６００の斜視図の一例である。ＣＤ処理装置６００は、図の手前右側に処理前（新品）のＣＤ−ＲＷをストックする入側ビン６１と、入側ビン６１の左側奥部にＣＤ−ＲＷにデータを書き込むＣＤ−ＲＷライタ６２と、ＣＤ−ＲＷライタ６２の上側にＣＤ−ＲＷのレーベル面に識別情報をインクジェット方式によって印刷する印字ユニット５９Ａと、印字ユニット６３の左側にＣＤ−ＲＷを移送する移送ユニット６４と、移送ユニット６４の手前に処理済のＣＤ−ＲＷをストックする出側ビン６５と、ＣＤ処理装置６００の全体の動作を制御するマイクロコンピュータ、メモリ等からなる制御部６６と、制御部に対して指示情報を出力するパーソナルコンピュータ等からなる指示部６７とを備えている。
【００７５】
ＣＤ処理装置６００の指示部６７は、受付装置１００及びフィルム処理装置４００と通信可能に接続されており、受付装置１００から識別情報及び注文情報を受信し、フィルム処理装置４００から識別情報及び画像データを受信して、フィルム処理装置４００から受信した識別情報に対応する注文情報の中のＣＤ要否情報が「ＣＤ要」となっている場合に、画像データをＣＤ−ＲＷに書き込むと共に、ＣＤ−ＲＷのレーベル面に識別情報を印字する旨の指示情報を制御部６６に対して出力するものである。制御部６６は、指示部６７からの指示情報に従って、各部を制御して、画像データをＣＤ−ＲＷに書き込むと共に、ＣＤ−ＲＷのレーベル面に識別情報を印字するものである。
【００７６】
図１０は、ＣＤ処理装置６００の動作の概要を表すフローチャートの一例である。ただし、フィルム処理装置４００から受信した識別情報に対応する注文情報の中のＣＤ要否情報が「ＣＤ要」となっている場合について説明する。まず、指示部６７によって、フィルム処理装置４００から識別情報及び画像データが受信される（ステップＳ３０１）。そして、ＣＤ−ＲＷライタ６２のトレイがＣＤ−ＲＷを載置可能な位置に移動され、移送ユニット６４によって、新品のＣＤ−ＲＷが入側ビン６１からＣＤ−ＲＷライタ６２のテーブル上に移送される（ステップＳ３０３）。つぎに、ＣＤ−ＲＷライタ６２のトレイがＣＤ−ＲＷの書込み可能な位置に移動され、ＣＤ−ＲＷライタ６２によってＣＤ−ＲＷに画像データが書き込まれる（ステップＳ３０５）。
【００７７】
次いで、ＣＤ−ＲＷライタ６２のトレイがＣＤ−ＲＷの取り出し可能な位置に移動され、移送ユニット６４によって、ＣＤ−ＲＷがＣＤ−ＲＷライタ６２から取り出され（ステップＳ３０７）、図略の印刷用トレイ上に移送される（ステップＳ３０９）。そして、印字ユニット６３によって、ＣＤ−ＲＷのレーベル面に識別情報が印刷される（ステップＳ３１１）。つぎに、移送ユニット６４によって、ＣＤ−ＲＷが印刷用トレイ上から出側ビン６５に移送され（ステップＳ３１３）、処理が終了される。
【００７８】
このようにして、識別情報がディスク状の記録媒体であるＣＤ−ＲＷのレーベル面に印刷されるため、作業者等がＣＤ−ＲＷに印刷された識別情報を容易に確認することが可能となる。
【００７９】
図１１は、注文情報表示装置７００のハード構成図の一例である。注文情報表示装置７００は、例えば、パーソナルコンピュータ等からなり、注文情報表示装置７００の全体の動作を制御する制御部７１と、外部からの操作を受け付ける図略のキーボード、マウス等からなる操作部７２と、外部に音声を出力するスピーカ７３と、外部に画像を出力するモニタ７４と、受付装置１００と通信を行う通信制御部７５と、種々の情報を記録用紙に印刷するプリンタ７６とがデータ伝送路であるバスＢＡ７を介して接続されている。
【００８０】
制御部７１は、注文情報表示装置７００の全体の動作を制御するもので、情報処理部（ＣＰＵ）７１１と、処理途中の情報等を一時的に格納するＲＡＭ７１２と、ＯＳ（ｏｐｅｒａｔｉｎｇ  ｓｙｓｔｅｍ）、所定の画像情報等が予め記憶されたＲＯＭ７１３とを備えている。ＲＡＭ７１２またはＲＯＭ７１３に記憶された各種データのうち装着脱可能な記録媒体に記憶され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ、ＤＶＤ、半導体メモリ等である。
【００８１】
インターフェイス部７２１は、操作部７２との間のデータの授受を行うためのものである。音声再生部７３１は、制御部７１からの指示に従って所定の音声（例えば、アラーム、操作ガイダンス用の音声等）等をスピーカ７３に出力するものである。描画処理部７４１は、制御部７１からの画像表示指示に従って所要の画像をモニタ７４に表示させるもので、ビデオＲＡＭ等を備えている。
【００８２】
図１２は、注文情報表示装置７００の機能構成図の一例である。ＣＰＵ７１１は、受付装置１００から識別情報及び注文情報を受信するデータ受信部７１１ａと、注文情報を用いて課金金額を算出する課金金額算出部７１１ｂ（課金金額算出手段に相当する）と、モニタ７４に注文情報を表示する注文情報表示部７１１ｃ（注文情報表示手段に相当する）とを備えている。また、ＲＡＭ７１２は、識別情報及び注文情報を格納する受付情報記憶部７１２ａ（受付情報記憶手段に相当する）と、課金金額算出部７１１ｂによって課金金額を算出するために使用される単価を格納する単価記憶部７１２ｂとを備えている。
【００８３】
データ受信部７１１ａは、通信制御部７５を介して受付装置１００から識別情報及び注文情報を受信すると共に、受け付けた注文情報を識別情報と対応付けて受付情報記憶部７１２ａに格納するものである。
【００８４】
課金金額算出部７１１ｂは、受付情報記憶部７１２ａから注文情報を読み出して、注文情報の内のプリント情報と、単価記憶部７１２ｂに格納されている単価情報とを用いて注文毎の課金金額を求めて、求めた課金金額を識別情報と対応付けて受付情報記憶部７１２ａに格納するものである。
【００８５】
例えば、課金金額算出部７１１ｂは、次の（１）式を用いて課金金額が求めるものである。
（課金金額）＝（現像料金）＋（プリント単価）×（プリント枚数）      （１）
ただし、現像料金は、フィルムの撮影可能枚数に応じて予め設定されており、プリント単価はプリントサイズに応じて予め設定されており、それぞれの単価が単価記憶部７１２ｂに格納されている。
【００８６】
注文情報表示部７１１ｃは、受付装置１００によって発行された預り証９５を参照して操作部７２を介して外部から入力された識別情報を受け付けて、受け付けた識別情報に対応する注文情報及び課金金額情報を受付情報記憶部７１２ａから読み出してモニタ７４に表示するものである。
【００８７】
受付情報記憶部７１２ａは、データ受信部７１１ａによって受信された注文情報及び識別情報を格納すると共に、課金金額算出部７１１ｂによって算出された課金金額を識別情報と対応付けて格納するものである。
【００８８】
単価記憶部７１２ｂは、課金金額算出部７１１ｂによって課金金額を算出するために使用する単価情報を格納するものであって、例えば、課金金額算出部７１１ｂが（１）式を用いて課金金額を求める場合には、フィルムの撮影可能枚数に応じて設定された現像料金と、プリントサイズに応じて設定されたプリント単価とを格納するものである。
【００８９】
なお、注文情報表示装置７００をデータ受信部７１１ａ、課金金額算出部７１１ｂ及び注文情報表示部７１１ｃとして機能させるプログラムが、例えばＲＯＭ７１３に格納されており、ＣＰＵ７１１によって実行されることにより、注文情報表示装置７００がデータ受信部７１１ａ等の各機能部として機能するものである。
【００９０】
図１３は、注文情報表示装置７００の動作の概要を表すフローチャートの一例である。まず、注文情報表示部７１１ｃによって、操作部７２を介して外部から入力された識別情報が受け付けられる（ステップＳ４０１）。次いで、注文情報表示部７１１ｃによって、受付情報記憶部７１２ａからステップＳ４０１で受け付けられた識別情報に対応する注文情報が読み込まれる（ステップＳ４０３）。
【００９１】
そして、課金金額算出部７１１ｂによって、ステップＳ４０２で読み込まれた注文情報を用いて、課金金額が算出される（ステップＳ４０５）。つぎに、注文情報表示部７１１ｃによって、ステップＳ４０１で受け付けられた識別情報と、ステップＳ４０３で読み込まれた注文情報と、ステップＳ４０５で算出された課金金額情報とがモニタ７４に表示され（ステップＳ４０７）、処理が終了される。
【００９２】
上述のように、識別情報がフィルム９１及びプリントされた各写真９３に視認可能に記録されるため、記録された識別情報を用いて、フィルム９１（ここでは、フィルム９１が収納されたネガシート９２）とプリントされた写真９３とを効率的に照合することが可能となる。
【００９３】
また、ＣＤ処理装置６００によって、フィルム処理装置４００で読み取られたフィルム９１の画像データがＣＤ９４に格納されると共に、ＣＤ９４のレーベル面に識別情報が視認可能に記録されるため、識別情報を用いて、ＣＤ９４とフィルム９１（ここでは、フィルム９１が収納されたネガシート９２）とを効率的に照合することが可能となる。
【００９４】
加えて、注文情報表示装置７００によって、外部から入力された識別情報が受け付けられて、受け付けた識別情報に対応する注文情報がモニタ７４に表示されるため、識別情報を用いて、注文情報とフィルム９１（ここでは、フィルム９１が収納されたネガシート９２）及びプリントされた写真９３とを照合することが可能となる。
【００９５】
また、注文情報表示装置７００によって、注文情報を用いて課金金額が算出されて、モニタ７４に表示されるため、作業者が課金金額を計算する作業が不要となり、作業者の負荷が軽減されると共に、課金金額が正確に求められる。
【００９６】
なお、本発明は以下の形態をとることができる。
【００９７】
（Ａ）本実施形態においては、受付装置１００、フィルムＩＤ記録装置２００、フィルム現像機３００、フィルム処理装置４００、写真出力装置５００、ＣＤ処理装置６００及び注文情報表示装置７００が別々の装置として構成されている場合について説明したが、これらの内の２つ以上の装置を一体に構成する形態でもよい。例えば、受付装置１００と注文情報表示装置７００とを１の装置で構成する形態でもよい。この場合には、注文情報等を伝送する必要がなくなり、写真処理システム１０の構成が簡略化される。
【００９８】
（Ｂ）本実施形態においては、受付装置１００が預り証９５を発行する場合について説明したが、預り証９５に替えて（又は、加えて）受付装置１００が、注文者の所有するパーソナルコンピュータ又は携帯電話等に対して識別情報を含む電子メールを送信する形態でもよい。この場合には、注文者が預り証９５を紛失する等に伴って確認作業が煩雑化する可能性が抑制される。
【００９９】
（Ｃ）本実施形態においては、フィルムＩＤ記録装置２００がバーコードライタによって識別情報をバーコードとして記録する場合について説明したが、その他の方法によって識別情報を記録する形態でもよい。例えば、２次元バーコードライタによって２次元バーコードとして記録する形態でもよい。この場合には、記録可能な情報量が多くなるため、識別情報に加えて、注文情報の一部を印字することも可能となり、利便性が更に向上され得る。例えば、フィルム９１に注文者情報が２次元バーコードとして記録されている場合には、リプリントの際に、フィルム９１から２次元バーコードを２次元バーコードリーダによって読み込めばよいため、注文者情報を再度受付装置１００に入力する必要がなくなる。
【０１００】
（Ｄ）本実施形態においては、フィルム処理装置４００がフィルム９１を所定のコマ数（ここでは、４コマ）毎に切断してネガシート９２に収納する場合について説明したが、フィルム９１を切断せずに所定のフィルム収納容器（例えば、パトローネ）に収納する形態でもよい。この場合には、フィルム処理装置４００の処理が簡略化され、フィルム処理装置４００の構成が簡略化される。
【０１０１】
（Ｅ）本実施形態においては、フィルム処理装置４００がフィルム９１及びネガシート９２に識別情報を印刷する場合について説明したが、ネガシート９２のみに識別情報を印刷する形態でもよい。この場合には、フィルム処理装置４００の処理が簡略化され、フィルム処理装置４００の構成が簡略化される。
【０１０２】
（Ｆ）本実施形態においては、フィルム処理装置４００がインクジェット方式を用いてネガシート９２に識別情報を印刷する場合について説明したが、その他の方式を用いてネガシート９２に識別情報を印刷する形態でもよい。例えば、ドットプリンタ方式を用いてネガシート９２に識別情報を印刷する形態でもよい。
【０１０３】
（Ｇ）本実施形態においては、写真出力装置５００がプリントされた各写真９３の裏面に識別情報を印刷する場合について説明したが、写真出力装置５００が１のフィルム９１に対応する写真９３を出力する度に識別情報が記録された印画紙を出力する形態でもよい。この場合には、写真９３の裏面に識別情報を印刷するための印字ユニット５９等が不要となり、装置が簡略化される。また、識別情報が記録された印画紙に識別情報に対応するフィルムに含まれる写真のサムネイル画像をプリントして出力する形態でもよい。この場合には、サムネイル画像がプリントされる印画紙と、識別情報が記録される印画紙とが共用されるため、印画紙を有効に使用することが可能となる。また、識別情報が記録される印画紙にサムネイル画像がプリントされているため、識別情報が記録される印画紙とプリントされた各写真９３とがバラバラになった（対応付けが不明な状態となった）場合にも、識別情報が記録される印画紙とプリントされた各写真９３との照合が可能となる。
【０１０４】
（Ｈ）本実施形態においては、画像データをＣＤ−ＲＷに記録する場合について説明したが、その他の記録媒体に記録する形態でもよい。例えば、ＣＤ−Ｒ、ＤＶＤ−Ｒ、ＤＶＤ−ＲＷ、ＤＶＤ＋ＲＷ、ＤＶＤ−ＲＡＭ等に記録する形態でもよい。
【０１０５】
（Ｉ）本実施形態においては、受付装置１００がフィルム毎に識別情報を付与する場合について説明したが、注文（オーダー）毎に識別情報を付与する形態でもよい。この場合には、受付情報記憶部１１２ａ等の記憶領域が削減されると共に、処理が簡略化される。
【図面の簡単な説明】
【０１０６】
【図１】本発明が適用される写真処理システムの概略構成図の一例である。
【図２】受付装置のハード構成図の一例である。
【図３】受付装置の機能構成図の一例である。
【図４】受付装置の動作を表すフローチャートの一例である。
【図５】フィルム処理装置のハード構成図の一例である。
【図６】フィルム収納部の詳細構成図の一例である。
【図７】フィルム処理装置（主にフィルム収納部）の動作を説明するフローチャートの一例である。
【図８】写真出力装置のハード構成図の一例である。
【図９】ＣＤ処理装置の斜視図の一例である。
【図１０】ＣＤ処理装置の動作の概要を表すフローチャートの一例である。
【図１１】注文情報表示装置のハード構成図の一例である。
【図１２】注文情報表示装置の機能構成図の一例である。
【図１３】注文情報表示装置の動作の概要を表すフローチャートの一例である。
【符号の説明】
【０１０７】
１０  写真処理システム
１００  受付装置（識別情報付与手段に相当）
２００  フィルムＩＤ記録装置（フィルムＩＤ記録手段に相当）
３００  フィルム現像機
４００  フィルム処理装置（フィルムスキャナ、容器ＩＤ記録手段、及び、フィルム収納手段に相当）
５００  写真出力装置（写真出力手段に相当）
６００  ＣＤ処理装置（記録媒体処理手段に相当）
７００  注文情報表示装置
９１  フィルム
９２  ネガシート
９３  写真
９４  ＣＤ
９５  預り証
【図１】
2005309080.tif 000003
【図２】
2005309080.tif 000004
【図３】
2005309080.tif 000005
【図４】
2005309080.tif 000006
【図５】
2005309080.tif 000007
【図６】
2005309080.tif 000008
【図７】
2005309080.tif 000009
【図８】
2005309080.tif 000010
【図９】
2005309080.tif 000011
【図１０】
2005309080.tif 000012
【図１１】
2005309080.tif 000013
【図１２】
2005309080.tif 000014
【図１３】
2005309080.tif 000015